(57)【要約】【課題】玉を正確に払い出すことができ、且つ、払い出された玉を正確に計数することのできるパチンコ機の玉計数払出装置を提供する。【解決手段】玉導入路３から受け入れた玉を回転作用により玉払出路４に払い出す回転体１と、払い出された玉を計数する玉計数装置２とを備えた玉計数払出装置において、前記回転体１を、外周円弧部１３を有する回転歯１４と、回転歯１４の回転方向後方に設けられた円弧状の玉仮受け部１５と、玉仮受け部１５に連設された凹状の玉保持部１６とを備えたものとし、外周円弧部１３と玉仮受け部１５との間に、徐々に傾斜の緩くなる緩斜面１７、または平板状の緩斜面１７ａをを設けたうえに、この回転体１を玉払出路４の入口に、玉仮受け部１５にある玉が通過不可能な隙間を形成して配設する。【選択図】　図１
2004041614.tif 000002
【特許請求の範囲】
【請求項１】
玉導入路から受け入れた玉を回転作用により玉払出路に払い出す回転体と、払い出された玉を計数する玉計数装置とを備えた玉計数払出装置において、前記回転体を、外周円弧部を有する回転歯と、回転歯の回転方向後側に設けられた円弧状の玉仮受け部と、この玉仮受け部に連設された凹状の玉保持部とを備えたものとし、外周円弧部と玉仮受け部との間に、徐々に傾斜の緩くなる緩斜面、または平板状の緩斜面を設けたうえに、この回転体を玉払出路の入口に、玉仮受け部にある玉が通過不可能な隙間を形成して配設したことを特徴とするパチンコ機の玉計数払出装置。
【請求項２】
凹状の玉保持部の側面を玉の外周面に接触させて玉をがたつくことなく静止して保持するようにした請求項１に記載のパチンコ機の玉計数払出装置。
【請求項３】
玉保持部を円弧面により凹状に形成し、この円弧面を玉の外周面に接触させて玉をがたつくことなく静止して保持するようにした請求項１に記載のパチンコ機の玉計数払出装置。
【請求項４】
玉保持部と外周円弧部との境界に面取り部を設けた請求項１〜３の何れかに記載のパチンコ機の玉計数払出装置。
【請求項５】
２個の回転体が、同心でそれぞれの回転体の回転歯を１／２ピッチずらして交互に玉を払い出すように一体に組み合わされ、且つ、一方の回転体の玉仮受け部と他方の回転体の外周円弧部の位置が半径方向に同位置として組み合わされており、さらに、一方の回転体の玉保持部にある玉と、この玉に後続し他方の回転体の玉保持部にある玉との間に、周方向の隙間が形成されている請求項１〜４の何れかに記載のパチンコ機の玉計数払出装置。
【請求項６】
２個の回転体が一体成形により一体に組み合わされて成形されている請求項５に記載のパチンコ機の玉計数払出装置。
【請求項７】
回転体が配設された玉払出路の入口上方に、回転体の中心と同心の円弧面を有し、玉保持部にある玉が玉払出し位置に至るまで玉を挟持する玉送りガイドを配設するとともに、前記玉払出し位置より下流には玉が楽に通過できる玉送りガイドを配設するとともに、玉送りガイドには玉が払出し位置に来た時に玉の計数を行う光センサーを配設した請求項１〜６の何れかに記載のパチンコ機の玉計数払出装置。
【請求項８】
玉送りガイドの光センサーを配設した位置に、光センサーのビームが通過する小孔を設け、この小孔の下側の側面を斜めに面取りした請求項７に記載のパチンコ機の玉計数払出装置。
【発明の詳細な説明】
【０００１】
【発明の属する技術分野】
本発明は、玉を円滑に払い出すためのパチンコ機の玉計数払出装置に関するものである。
【０００２】
【従来の技術】
貸玉や賞玉などの玉を払い出すためのパチンコ機の玉計数払出装置として、駆動装置の回転作用により玉導入路より受け入れた玉を玉払出路へ払い出す回転体と、払い出された玉を計数する玉計数装置とを備えたものがある。この玉計数払出装置は高速で玉の払出しを行うために、回転体を高速で回転して円滑に玉を払い出すとともに、払い出された玉を正確に計数することが必要である。
【０００３】
しかしながら、従来の玉計数払出装置においては、回転体の凹部に玉が流入する時に玉の落下の衝撃により玉が跳ね上がって、玉が回転体と玉払出路の側壁との間に鋏まれるトラブルが発生することがあった。玉が鋏まれると回転体の回転が停止されて玉の払い出しが不能となって遊技に支障を来すこととなる。また、従来の回転体は凹部が単に湾曲状に凹んだものであって、遊技者がパチンコ機を叩いたりした場合に衝撃によって玉が回転体から飛び出して払い出されてしまうことがあって、玉の払出しを必ずしも正確に行うことができるものではなかった。また、玉が凹部内でぐらついて動くので払出しの時間間隔にバラツキが生じてその結果玉の計数が不正確になってしまうという問題があった。
【０００４】
【発明が解決しようとする課題】
本発明は上記した従来の問題点を解決し、玉を所定の間隔でもって正確に払い出すことができ、且つ、払い出された玉を正確に計数することのできるパチンコ機の玉計数払出装置を提供するためになされたものである。
【０００５】
【課題を解決するための手段】
上記の課題を解決するためになされた本発明のパチンコ機の玉計数払出装置は、玉導入路から受け入れた玉を回転作用により玉払出路に払い出す回転体と、払い出された玉を計数する玉計数装置とを備えた玉計数払出装置において、前記回転体を、外周円弧部を有する回転歯と、回転歯の回転方向後側に設けられた円弧状の玉仮受け部と、この玉仮受け部に連設された凹状の玉保持部とを備えたものとし、外周円弧部と玉仮受け部との間に、徐々に傾斜の緩くなる緩斜面、または平板状の緩斜面を設けたうえに、この回転体を玉払出路の入口に、玉仮受け部にある玉が通過不可能な隙間を形成して配設したことを特徴とするものである。
【０００６】
また、凹状の玉保持部の側面を玉の外周面に接触させて玉をがたつくことなく静止して保持するのが望ましく、玉保持部を円弧面により凹状に形成し、この円弧面を玉の外周面に接触させることによっても、玉をがたつくことなく静止して保持することができる。
【０００７】
また、２個の回転体が、同心でそれぞれの回転体の回転歯を１／２ピッチずらして交互に玉を払い出すように組み合わされ、且つ、一方の回転体の玉仮受け部と他方の外周円弧部の位置が半径方向に同位置として組み合わされており、さらに、一方の回転体の玉保持部にある玉と、この玉に後続し他方の回転体の玉保持部にある玉との間に、周方向の隙間を形成するのが望ましく、２個の回転体が一体成形により一体に組み合わされて成形されているものとすることができる。さらに、回転体が配設された玉払出路の入口上方に、回転体の中心と同心の円弧面を有し、玉保持部にある玉が玉払出し位置に至るまで玉を挟持する玉送りガイドを配設するとともに、前記玉払出し位置より下流には玉が楽に通過できる玉送りガイドを配設するとともに、玉送りガイドには玉が払出し位置に来た時に玉の計数を行う光センサーを配設するのが望ましく、また、玉送りガイドの光センサーを配設した位置に、光センサーのビームが通過する小孔を設け、この小孔の下側の側面を斜めに面取りするのが望ましい。
【０００８】
本発明のパチンコ機の玉計数払出装置は、玉導入路から受け入れた玉を回転作用により玉払出路に払い出す回転体と、払い出された玉を計数する玉計数装置とを備えた玉計数払出装置において、前記回転体を、外周円弧部を有する回転歯と、回転歯の回転方向後方に設けられた円弧状の玉仮受け部と、この玉仮受け部に連設された凹状の玉保持部とを備えたものとし、外周円弧部と玉仮受け部との間に、徐々に傾斜の緩くなる緩斜面、または平板状の緩斜面を設けたので、外周円弧部で受け止めた玉を滑らかに玉仮受け部に流入させることができ、玉の跳ね上がりを防止することができるので、玉が玉払出路の入口に挟まれたりして玉の払出しが不可能となったりすることがない。また、回転体を玉払出路の入口に、玉仮受け部にある玉が通過不可能な隙間を形成して配設したので、玉が玉仮受け部にある時にパチンコ機に大きな衝撃が加えられても玉が誤って払い出されることがない。
【０００９】
【発明の実施の形態】
以下に図面を参照しつつ本発明の好ましい実施形態を示す。
図１、２は、本発明の第１の実施形態であるパチンコ機の玉計数払出装置を示す図であって、この玉計数払出装置は筐体１００に一個の回転体１と１個の玉計数装置２とが配設されたものであって、回転体１は、玉導入路３から連なって送り込まれた玉を１球づつ玉払出路４に払い出すことができる。この回転体１は円形の側面１１の裏側にギア１２を有し、回転軸５に軸着されていて、モーター６によりギア６１、ギア１２を介して半時計回りに回転する。
【００１０】
回転体１は図３にも示すように、外周円弧部１３を有する３枚の回転歯１４と、回転歯１４の回転方向後側に設けられた円弧状の玉仮受け部１５と、玉仮受け部１５に連設された凹状の玉保持部１６とを備えている。そして、外周円弧部１３と玉仮受け部１５の間には徐々に傾斜の緩くなる緩斜面１７が形成されており、この緩斜面１７は玉仮受け部１５と接線状につながっている。なお、玉仮受け部１５の円弧は回転体１の中心と同心の円弧としてもよいし、円弧の回転方向後側を回転体１の中心と同心の円弧に対して０．０５〜０．５ｍｍ低く傾斜させたものとしてもよい。本発明の玉計数払出装置においては、玉保持部１６に流入する玉を一旦玉仮受け部１５にて受け止めるので玉保持部１６に流入する玉の速度を大幅に減速して衝撃を和らげることができる。また、凹状の玉保持部１６の側面は玉の外周面に接するように形成されているので回転体１の回転中に玉がぐらついて移動したりすることはない。さらに、玉保持部１６と外周円弧部１３との境界には面取り部１８が形成してあるので、玉が外部衝撃などで跳ね上がった時にも玉の刻印などに回転歯１４の先が引っかかることがない。したがって、玉払出路４の入口にて玉が噛み込まれたりすることがない。なお、面取り部１８は丸みを付けて形成するのが望ましい。
【００１１】
図１に示した状態では、回転体１は玉払出路４の入口に配設されており、玉は玉仮受け部１５に載っているが、玉払出路４を形成する玉送りガイド４１が玉仮受け部１５との間に玉の直径より小さい隙間を形成しているので、玉仮受け部１５にある玉は玉払出路４に流入することがない。玉送りガイド４１には回転体１の中心と同心の円弧面４２が形成されていて、円弧面４２と玉保持部１６との間には玉の直径より僅かに（０．５ｍｍ程度）大きい隙間が形成されているので、玉保持部１６にある玉は玉払出路４に入り込むことができ、入り込んだ玉は円弧面４２を通過して玉払出し位置に至るまで下流に放出されることなく挟持される。円弧面４２より下側には玉が十分な余裕を持って通過できるように球送りガイド４１ａが配設されている。
【００１２】
図４〜１１は回転体１が玉を払い出す一連の動作を説明する図であって、回転体１が半時計回りに回転して玉仮受け部１５にあった玉が玉保持部１６に流入する（図４、５）。さらに回転が進むと玉は玉払出路４に入り込む（図６）。玉は円弧面４２でガイドされながら移動するが、玉保持部１６の湾曲面が玉の外周面に接触しているので移動中は玉をがたつくことなく保持することができる（図７、８）。そして、図９の状態で玉は玉保持部１６から脱出し始めるが、この状態では玉仮受け部１５と玉保持部１６の境界のコーナーと玉送りガイド４１により玉は流下することなく挟持されている。玉送りガイド４１には挟持された玉がビームの遮断を開始するように光センサーである玉計数装置２が設けられているが、玉ががたつくことなく送られてくるために玉の計数が開始される回転体１の位置を正確なものとすることができる。また、回転体１は所定の払出数の玉がビームに検出された時停止して図１０に示すような停止状態となり、玉は回転体１の玉保持部１６と玉払出路４の円弧面４２とによる挟持から開放されて自重により落下して払い出される　（図１１）。なお、図１２に示すように、玉送りガイド４１ａの玉計数装置２を設けた部位にはビームの発光部２１と受光部２１ａを相対して設置し、玉径よりも小さくビーム通過のための小孔２２、２２ａが設けてある。そして、この小孔２２、２２ａの側壁で玉進入側はビームに近づけ、玉流下側はビームから離したうえに、玉流下側の側壁のコーナーを斜めに面取りして斜面２３、２３ａを設けることによって微小なごみ、埃による誤作動、計数不良などの機能障害を最小に抑えることができる。
【００１３】
なお、図７に示した状態では、玉払出路４に入り込んだ玉の後続玉が外周円弧部１３に載っている。この外周円弧部１３に載った玉は回転体の回転とともに緩斜面１７を玉仮受け部１５の方向に下るが（図８〜１０）、この緩斜面１７は徐々に傾斜の緩くなるように形成されて接線状に玉仮受け部１５と連通しているので、玉は玉仮受け部１５に滑らかに移動することができる。
【００１４】
図１３は、玉が回転体１の外周円弧部１３から玉保持部１６に流入する軌跡を描いた図であるが、位置０点の外周円弧部１３から位置４、５の玉仮受け部１５まで緩やかに減速されて玉が流下している。また、図１４は緩斜面１７ａを平板状（図では直線状）に形成した回転体１０における玉の軌跡を描いたものであるが、図１２の軌跡よりも緩やかに玉を玉仮受け部１５ａに流下させることができる。この回転体１０の玉保持部１６ａは玉の外周面に接触する円弧面により凹状に形成されているので、保持された玉はがたつくことはない。なお、図１５は比較例としての回転体３０における玉の軌跡を描いたものであるが、この回転体３０の円弧状の玉仮受け部１５ｂは位置２〜５にかけて長く形成されており、したがって、斜面１７ｂはやや急に傾斜していて斜面１７ｂと玉仮受け部１５ｂとの間に明瞭な境界が存在している。このため、斜面１７ｂを流下する玉は急激に減速することとなって玉仮受け部１５ｂに衝突して、発生する衝撃により玉がリバウンドしやすい。
【００１５】
第２の実施形態の玉計数払出装置を図１６〜１９に示す。この玉計数払出装置は二つの回転体１０、２０と一つの玉計数装置２とからなるものであって、図１４に示した緩斜面１７ａが平板状である二つの回転体１０、２０が回転軸５に軸着されていて、モーター６により一体に回転される。ここで２本の玉導入路３及び玉払出路４の間は中央隔壁７によって隔てられている。
【００１６】
二つの回転体１０、２０は回転歯１４ａ、１４ａ’が１／２ピッチずらされて交互に玉を払い出すようになっている。また、図１７に示すとおり、一方の回転体１０の外周円弧部１３ａと他方の回転体２０の玉仮受け部１５ａ’とは半径方向の位置が同一になるように組み合わされており、玉を同時に外周円弧部１３ａと玉仮受け部１５ａ’とで受けるようになっていて、玉圧を回転軸５に向けて玉を受けることができる。したがって、玉圧が回転体１０、２０の回転方向に作用しないので玉を誤って払い出すことがない。
【００１７】
回転体１０、２０が回転して二つの回転体１０、２０の玉保持部１６ａ、１６ａ’に玉が入り込んだ図１８に示す状態においては、回転体１０の玉保持部１６ａにある玉の中心と、回転体２０の玉保持部１６ａ’にある玉の中心との周方向の距離を玉の直径よりも大きくしてあるので、二つの玉の間に隙間Ｓを形成することができる。さらに回転が進んで、図１９に示す位置にて一方の回転体１０から玉が払い出され、引き続いて他方の回転体２０から玉が払い出されるが、玉を高速で払い出した場合においても、二つの玉間に隙間Ｓを形成してあるので、二つの玉が玉計数装置のビームの前をつながって通過することがなく、よって、玉を確実に識別して正確に計数することができる。なお、二つの回転体１０、２０は一体成形により上記したような構成に一体に組み合わせて成形することができる。
【００１８】
以上に説明した第１、第２の実施形態の玉計数払出装置においては、何れも３枚の回転歯１４、１４ａ（１４ａ’）を有する回転体１、１０（２０）を用いているが、図２０、２１に示すような２枚の回転歯１４ｃ（１４ｃ’）を有する回転体４０（４１）、あるいは４枚の回転歯１４ｄ（１４ｄ’）を有する回転体５０（５１）を用いても玉を円滑に払い出して正確に計数することができる。
【００１９】
【発明の効果】
以上に説明したように、本発明のパチンコ機の玉計数払出装置は、玉導入路から受け入れた玉を回転作用により玉払出路に払い出す回転体と、払い出された玉を計数する玉計数装置とを備えた玉計数払出装置において、前記回転体を、外周円弧部を有する回転歯と、回転歯の回転方向後方に設けられた円弧状の玉仮受け部と、この玉仮受け部に連設された凹状の玉保持部とを備えたものとし、外周円弧部と玉仮受け部との間に、徐々に傾斜の緩くなる緩斜面、または平板状の緩斜面を設けたので、外周円弧部で受け止めた玉を滑らかに玉仮受け部に流入させることができ、玉の跳ね上がりを防止することができるので、玉が玉払出路の入口に挟まれたりして玉の払出しが不可能となるトラブルが発生することがない。また、回転体を玉払出路の入口に、玉仮受け部にある玉が通過不可能な隙間を形成して配設したので、玉が玉仮受け部にある時にパチンコ機に大きな衝撃が加えられた場合にも玉が誤って払い出されることがない。また、凹状の玉保持部の側面を玉の外周面に接触するようにしたので、玉をがたつくことなく静止して保持することができるし、玉保持部を円弧面により凹状に形成し、この円弧面を玉の外周面に接触させることによっても玉を静止して保持することができ、球の払出し位置を常に一定の位置として球を正確に計数することができる。さらに、玉保持部と外周円弧部との境界に面取り部を形成したので、回転歯の刃先が球の刻印などに引っかかることがない。
【００２０】
また、本発明のパチンコ機の玉計数払出装置は、２個の回転体が、同心でそれぞれの回転体の回転歯を１／２ピッチずらして交互に玉を払い出すように組み合わされ、且つ、一方の回転体の玉仮受け部と他方の外周円弧部位置を半径方向に同位置として組み合わせたので、玉圧を回転軸に向けて受けることができて、玉を誤って払い出すことがない。また、一方の回転体の玉保持部にある玉と、この玉に後続し他方の回転体の玉保持部にある玉との間に、周方向の隙間を形成したので、二つの玉が玉計数装置のビームの前をつながって通過することがなく、玉を確実に識別することができる。また、２個の回転体が一体成形により一体に組み合わされて成形されているものとすることにより、二つの回転体をいちいち組み合わせる必要がない。また、回転体が配設された玉払出路の入口上方に、回転体の中心と同心の円弧面を有し、玉保持部にある玉が玉払出し位置に至るまで玉を挟持する玉送りガイドを配設したうえに、前記玉払出し位置より下流には玉が楽に通過できる玉送りガイドを配設するとともに、玉送りガイドには玉が払出し位置に来た時に玉の計数を行う光センサーを配設したので、玉を確実に認識して正確に計数することができる。さらに、玉送りガイドの光センサーを配設した位置に、光センサーのビームが通過する小孔を設け、この小孔の下側の側面を斜めに面取りしたので、微小なごみなどによる玉係数装置の誤作動などの機能障害を大幅に低減することができる。
したがって、本発明は玉を所定の間隔でもって正確に払い出すことができ、且つ、払い出された玉を正確に計数することができるという大きな利点を有するものである。
【図面の簡単な説明】
【図１】第１の実施形態の玉計数払出装置を示す正面の断面図である。
【図２】第１の実施形態の玉計数払出装置を示す側面の断面図である。
【図３】回転体の正面図である。
【図４】玉が玉保持部に流入途中である玉計数払出装置の正面断面図である。
【図５】玉が玉保持部に流入した状態の玉計数払出装置の正面断面図である。
【図６】玉が玉払出路の入口にある玉計数払出装置の正面の断面図である。
【図７】玉が玉払出路を移動中である玉計数払出装置の正面の断面図である。
【図８】図７に引き続く玉計数払出装置の正面の断面図である。
【図９】玉がビームを遮断する直前の状態にある玉計数払出装置の正面の断面図である。
【図１０】玉がビームを遮断した状態にある玉計数払出装置の正面の断面図である。
【図１１】玉が払い出された直後の玉計数払出装置の正面の断面図である。
【図１２】玉計数装置の周辺の詳細を示す断面図である。
【図１３】回転体上を転がる玉の軌跡の説明図である。
【図１４】図１３とは別の形態の回転体上を転がる玉の軌跡の説明図である。
【図１５】比較例の回転体上を転がる玉の軌跡の説明図である。
【図１６】二つの回転体が配設された玉計数払出装置の側面の断面図である。
【図１７】図１６に示す玉計数払出装置の正面の断面図である。
【図１８】図１７に引き続く玉計数払出装置の正面の断面図である。
【図１９】玉が払出し直前にある玉計数払出装置の正面の断面図である。
【図２０】２枚の回転歯を有する回転体を備えた玉計数払出装置の正面の断面図である。
【図２１】４枚の回転歯を有する回転体を備えた玉計数払出装置の正面の断面図である。
【符号の説明】
１　回転体
２　玉計数装置
３　玉導入路
４　玉払出路
１３　外周円弧部
１４　回転歯
１５　玉仮受け部
１６　玉保持部
１７、１７ａ　緩斜面
【図１】
2004041614.tif 000003
【図２】
2004041614.tif 000004
【図３】
2004041614.tif 000005
【図４】
2004041614.tif 000006
【図５】
2004041614.tif 000007
【図６】
2004041614.tif 000008
【図７】
2004041614.tif 000009
【図８】
2004041614.tif 000010
【図９】
2004041614.tif 000011
【図１０】
2004041614.tif 000012
【図１１】
2004041614.tif 000013
【図１２】
2004041614.tif 000014
【図１３】
2004041614.tif 000015
【図１４】
2004041614.tif 000016
【図１５】
2004041614.tif 000017
【図１６】
2004041614.tif 000018
【図１７】
2004041614.tif 000019
【図１８】
2004041614.tif 000020
【図１９】
2004041614.tif 000021
【図２０】
2004041614.tif 000022
【図２１】
2004041614.tif 000023